(57)【要約】ケーシング（１０）を備えた電子機器が提案されている。該ケーシング（１０）は、ケーシング壁（１，２）によって包囲された内室（３）を有する。該内室には環状コイル（４）が配置されている。該ケーシング１０は貫通案内領域６も有しており、この貫通案内領域は該ケーシングの上側（２０）から下側（３０）まで延在する。該ケーシング（１０）の平面II‐IIにおける断面では、貫通案内領域（６）は内室（３）と環状コイル（４）とケーシング壁（２）とによって完全に包囲されている。
2005527815.tif 000002
【特許請求の範囲】
【請求項１】
ケーシング（１０）を備えた電子機器であり、
該ケーシング（１０）は、ケーシング壁（１，２）と、該ケーシング壁（１，２）によって包囲された内室（３）とを有しており、
前記内室（３）には、環状コイル（４）が配置されている形式のものにおいて、
該ケーシング（１０）は貫通案内領域（６）を有しており、
該貫通案内領域（６）は、該ケーシング（１０）の上側（２０）から下側（３０）まで到達し、
該ケーシング（１０）の平面II‐IIにおける断面では、該貫通案内領域（６）は内室（３）と環状コイル（４）とケーシング壁（２）とによって完全に包囲されていることを特徴とする電子機器。
【請求項２】
該ケーシング（１０）は、該貫通案内領域（６）を中心とするトポグラフィ的な環状構造の形態で形成されている、請求項１記載の電子機器。
【請求項３】
環状コイル（４）は電流センサとして形成されている、請求項１または２記載の電子機器。
【請求項４】
内室（３）には、前記電流センサ（４）の信号を評価するように構成された電子回路（５）が配置されている、請求項３記載の電子機器。
【請求項５】
該貫通案内領域（６）は、導電性のボルト（５０）を収容するように構成されている、請求項１から４までのいずれか１項記載の電子機器。
【請求項６】
該ケーシング（１０）は、自動車における適用のために構成されている、請求項１から５までのいずれか１項記載の電子機器。
【請求項７】
自動車のバッテリーの電流を監視するために構成されている、請求項６記載の電子機器。
【発明の詳細な説明】
【技術分野】
【０００１】
従来の技術
本発明は、独立請求項の上位概念による、ケーシングを備えた電子機器に関する。
【０００２】
すでに、ケーシングを備えた電子機器は公知である。該ケーシングは通常、ケーシング壁と該ケーシング壁に包囲された内室とを有する。この種のケーシングの内室には、環状コイルが配置されており、この環状コイルは電流を測定するのに使用される。このため、ケーシング内には導体が形成され、この導体は環状コイルによって包囲される。
【０００３】
本発明の利点
それに対して、独立請求項の特徴を有する本発明の電子機器の利点は、ケーシングの内部に導体を設ける必要なく、コアを有する環状コイルによって導電性のエレメントを包囲できることである。したがって、このような電子機器を製造する手間は低く抑えられる。さらに、完成された電子機器を導体に対して、後から配置することもできる。
【０００４】
別の利点および改善は、従属請求項の構成によって達成される。環状コイルは電子評価回路とともに、とりわけ電流センサとして構成される。環状コイルの信号の評価は、ケーシング内に評価のための電子回路も設けられている場合、特に簡単に行うことができる。導電性のボルトを収容するために貫通案内領域が構成されている場合、電子機器を特に簡単に、ボルトに機械的に固定することができる。電子機器はとりわけ、自動車における適用に適している。というのも、この電子機器は特に簡単に、頑強に構成されているからだ。ここで有利な適用は、自動車のバッテリーからの電流を監視することである。
【０００５】
図面
本発明の実施例が図面に示されており、以下の説明にて詳細に説明される。
【０００６】
図１は、本発明による電子機器の断面図である。
【０００７】
図２は、図１の線II‐IIに沿った断面図である。
【０００８】
図３は、貫通案内領域を貫通案内された導電性のボルトを有する電子機器の断面図である。
【０００９】
説明
図１には、本発明による電子機器の断面が示されている。該電子機器は、２つの部分から成るケーシングを有している。このケーシングは蓋部１および底部２から成り、これらはそれぞれ、ケーシング壁を形成する。ケーシング壁１，２は内室３を包囲しており、この内室３には、コアを有する環状コイル４および電子回路５が配置されている。このケーシング蓋部１はケーシング１０の上側２０を形成し、ケーシング底部２は蓋ケーシング１０の下側３０を有する。さらに、該ケーシング１０は貫通案内領域６を有しており、この貫通案内領域６は上側２０から下側３０まで延在している。貫通案内領域６は、該ケーシングに占有されない領域であり、トポグラフィ的な環状構造の形態のケーシング１０によって包囲される。したがってケーシング１０は、ケーシング壁１，２によって貫通案内領域６を包囲する。このことは、図１の平面II‐IIに沿った断面を見れば、特に理解しやすい。この断面は、図２に示されている。
【００１０】
図２には、図１の平面II‐IIに沿った断面が示されている。参照番号２，３，４，５および６はここでも、図１と同一の対象を示している。この断面では、貫通案内領域６はケーシング壁２と環状コイル４と内室３とによって完全に包囲される。したがって、ケーシングはトポグラフィ的なリングとして構成されており、貫通案内領域６を完全に包囲する。
【００１１】
このように構成された電子機器は、特に電流測定に適している。こうするため、貫通案内領域６には導体が貫通案内され、電流は一方向にしか流れない。環状コイル４は軟鉄コアを有し、この軟鉄コアは閉成されたリングとして、貫通案内領域６を包囲するように配置されている。この環状コアには測定コイルが捲回されており、この測定コイルで実際の測定信号が生成される。貫通案内領域６を通過して１つの方向に電流が流れると、環状コイル４は信号を誘導する。この信号は、環状コイル４のすぐ側に配置された電子回路によって検出される。このために必要な、環状コイル４と電子回路５との間の接続導線は、理解しやすくするために図１および２には示されていない。
【００１２】
このようにして実現された電子機器によって、差し込み領域６に導体を通過させて差し込むことにより、特に簡単に電流測定を行うことができる。電子機器は完全に製造された後、後続のステップで導体に対して適切に配置される。
【００１３】
図３には、貫通案内領域６におけるこの種の導体の特に簡単な構成を示している。図３には、ケーシング１０の断面が図１に相応して示されている。参照番号１，２，３，４，５および６はここでも、図１と同一の対象を示している。ここでは、貫通案内領域６を貫通して導電性のボルト５０が示されており、このボルト５０は上部にねじ山を有する。接続ボルト５０のねじ山は、ナット５１の相応のねじ山とともに機能する。ナット５１を接続ボルト５０のねじ山に締結することによって、接続舌片５２がケーシング蓋部１とナット５１との間で圧着される。電流ボルト５０は一体形で、接地領域５３に繋がっている。
【００１４】
図示された装置はたとえば、自動車のバッテリーのための接地接続部として使用するのに適している。接地領域５３は自動車のボディによって形成されており、このボディに電流ボルト５０が相応に一体形で取り付けられている。電子機器は、貫通案内領域６によって電流ボルト５０を介して簡単に差し込まれ、導電舌片５２がナット５１によって締結される。接続舌片５２は相応のケーブルによって、バッテリーの接地電極に接続される。このような装置によって、バッテリーを流れるすべての電流が簡単に監視され、バッテリーの充電状態が各時点でどのようになっているかということが適切に推定される。バッテリーの充電状態は、たとえば電子回路５で計算され、自動車の別の電子機器に対してバスシステムを介して供給される。このバスシステムは、ここでは図示されていない。このようにして、自動車のバッテリーのエネルギー管理が実現される。
【００１５】
しかし、ケーシングをボディに固定して、ボルトとして形成された接地接続部に接地ケーブルを取り付ける別の手法も可能である。接地ケーブルのケーブルシューを特により確実に取り付ける形態は、ボルトの端部に設けられた段部である。これによってケーブルシューは、ボルトに載置面をもう１つ有するようになり、ケーブルシューをボルトの端部に固定するためのねじ山は小さくなる。ここで、機器を固定する別の手段が得られる：
・図示されているように、ねじによって機器とケーブルシューとを固定する手段。
・機器を別個のケーシング固定部材に取り付け、比較的小さなねじ山でケーブルシューをボルト端部に取り付ける手段。
・機器を大きな外部ねじ山によってボルトに取り付け、ケーブルシューの比較的小さなねじ山によってボルト端部に取り付ける手段。
【００１６】
バッテリーの接地電極の他に、電流が流れる別のすべての導体も考えられる。自動車のバッテリーの充電状態を判定しなければならない場合、バッテリーのすべての電流が流れる相応の導体が使用される。この導体を、バッテリーのプラス側または自動車のヒューズボックス内に配置することもできる。適切な導体を選択することにより、個々のコンポーネントの消費電力を観察することもできる。
【図面の簡単な説明】
【００１７】
【図１】本発明による電子機器の断面図である。
【００１８】
【図２】図１の線II‐IIに沿った断面図である。
【００１９】
【図３】貫通案内領域を貫通案内された導電性のボルトを有する電子機器の断面図である。
【図１】
2005527815.tif 000003
【図２】
2005527815.tif 000004
【図３】
2005527815.tif 000005
【国際調査報告】
2005527815.tif 000006
2005527815.tif 000007
2005527815.tif 000008
2005527815.tif 000009